(57)【要約】【課題】より広範囲な切断利用型の電気器具について電動工具向けのバッテリパックを電源として取り付けることができるようにしてそのコードレス化を図り、ひいてはその利便性を高めることを目的とする。【解決手段】電気器具１０は、切断対象物１９を切断する切断刃１０ｄと、切断刃１０ｄを駆動する駆動源１２と、駆動源１２に電気的に接続されるバッテリ取付部１３と、を備えている。【選択図】図１
2018065201.tif 000002
【特許請求の範囲】
【請求項１】
切断対象物を切断する切断刃と、前記切断刃を駆動する駆動源と、前記駆動源に電気的に接続される電動工具用のバッテリ取り付け部と、を備えている電気器具。
【請求項２】
請求項１に記載の電気器具であって、
前記切断刃によって切断される前記切断対象物を保持する保持部材を備えている電気器具。
【請求項３】
請求項１〜２のいずれか１つに記載の電気器具であって、
使用者によって把持されるグリップを有し、前記グリップの一端に前記切断刃が設けられ、前記グリップの他端に前記バッテリ取り付け部が設けられる電気器具。
【請求項４】
請求項１〜２のいずれか１つに記載の電気器具であって、
前記切断刃を収容するハウジングと、切断ハウジングの下方に位置して前記切断刃によって切断された被切断物を収容する収容箱を有し、
前記ハウジングまたは前記収容箱の側面に前記バッテリ取り付け部が設けられる電気器具。
【請求項５】
請求項１〜４のいずれか１つに記載の電気器具であって、
前記バッテリ取り付け部には、充電可能なバッテリが取り付けられた電気器具。
【請求項６】
請求項１〜５のいずれか１つに記載の電気器具であって、
前記バッテリは、複数本のセルと、前記セルを収容するバッテリケースとを備えるリチウムイオンバッテリである電気器具。
【請求項７】
請求項１〜６のいずれか１つに記載の電気器具であって、
前記バッテリ取り付け部は、前記電気器具の表面に沿ってスライドする前記バッテリを保持するスライド構造を有する電気器具。
【請求項８】
請求項７に記載の電気器具であって、
前記スライド構造は、前記バッテリをスライド可能に保持する一対の案内レールを有する電気器具。
【請求項９】
請求項１〜８のいずれか１つに記載の電気器具であって、
前記バッテリは、長尺棒状であり、
前記バッテリ取り付け部は、前記バッテリを収容する凹部と、前記凹部の底に前記バッテリと電気的に接続される接続端部を有する電気器具。
【請求項１０】
請求項１〜９のいずれか１つに記載の電気器具であって、
前記バッテリとして出力電圧が１０．８Ｖのリチウムイオンバッテリを取り付け可能な電気器具。
【請求項１１】
請求項１〜１０のいずれか１つに記載の電気器具であって、
前記駆動源に対する電力供給を制御するためのコントローラを備え、前記バッテリ取り付け部に、前記コントローラと前記バッテリとの間で情報を送受信するための通信端子少なくとも一つ備えた電気器具。
【請求項１２】
請求項１１に記載の電気器具であって、
前記バッテリの状態に関する情報に基づいて電力供給を制御する構成とした電気器具。
【請求項１３】
請求項１２に記載の電気器具であって、
前記バッテリの温度情報に基づいて電力供給を制御する構成とした電気器具。
【請求項１４】
請求項１２に記載の電気器具であって、
前記バッテリの放電許可または禁止情報に基づいて電力供給を制御する構成とした電気器具。
【請求項１５】
請求項１２に記載の電気器具であって、
電気器具の状態に関する情報に基づいて電力供給を制御する構成とした電気器具。
【請求項１６】
請求項１〜１５のいずれか１つに記載の電気器具のバッテリ取り付け部に取り付け可能なバッテリであって、残容量表示部を備えたバッテリ。
【請求項１７】
請求項１〜１６のいずれか１つに記載の電気器具であって、
バッテリまたは電気器具の状態を報知する報知部を備える電気器具。
【請求項１８】
請求項１７に記載の電気器具であって、
前記報知部は電気器具側に設けられた電気器具。
【請求項１９】
家庭用電気器具において、電力を供給する電源としてのバッテリを着脱可能に取り付けるためのバッテリ取り付け部を備えた電気器具。
【発明の詳細な説明】
【技術分野】
【０００１】
この発明は、例えば、パンスライサーやバリカン等の電気器具に関し、詳しくは、切断を利用する電気器具に関する。
【背景技術】
【０００２】
主として切断を利用する電気器具には、他に、毛玉取り器、エチケットカッター、ゴミ粉砕機、ハンディシュレッダー、鉛筆削り、野菜スライサー等の電気器具が存在する。多くの場合、これらの電気器具は、商用１００Ｖの交流電源を電源としている。乾電池等のバッテリ（直流電源）では電力不足となるため、懐中電灯やハンディラジオ等の電力消費が小さい電気器具とは異なって、比較的大きな電力を必要とするパンスライサーやバリカン等の切断利用型の電気器具については、商用１００Ｖの交流電源を電源とするものが主流となっている。下記の特許文献には、交流電源式のアイロン、炊飯器に関する技術が開示されている。これら交流電源式の電気器具は、使用時には電源コードを交流電源供給用の電源コンセントに接続する必要がある。このため、電源コンセント等が用意されていない屋外等では使用することができず、この点で使い勝手が悪い。
【０００３】
一方、ねじ締め機や電気ドリル等の主として手持ち式の電動工具では、バッテリを電源とするものが普及している。特に近年では、複数本のバッテリセルをケースに内装したリチウムイオンバッテリが広く用いられるようになっている。
【０００４】
電動工具用のリチウムイオンバッテリは比較的大きな電力を供給可能であることから、これを各種の電気器具の電源として利用できれば、交流電源が不要になり、またコードレス化されることからその使い勝手を格段に向上させることができる。下記の特許文献には、電動工具用のリチウムイオンバッテリを電源として利用できる電気器具に関する技術が開示されている。特許文献１には、卓上切断機等の切断利用型の電気器具が開示され、特許文献２には、フォトフレームやオーディオ機器について電動工具用のバッテリを電源とする電気器具が開示されている。
【先行技術文献】
【特許文献】
【０００５】
【特許文献１】実開昭６３−１２６０００号公報
【特許文献２】特開平０６−１０５７３９号公報
【発明の概要】
【発明が解決しようとする課題】
【０００６】
本発明は、主としてパンスライサーやバリカン等のより広範囲な切断利用型の電気器具について、バッテリを電源とすることにより、屋外等の交流電源が用意されていない場所でも利用できるようにすることで、その使い勝手を高めることを目的とする。
【課題を解決するための手段】
【０００７】
上記の課題は、以下の各発明により解決される。第１の発明は、電気器具であって、切断対象物を切断する切断刃と、切断刃を駆動する駆動源と、駆動源に電気的に接続されるバッテリ取り付け部と、を備えている。
【０００８】
第１の発明によれば、例えば、充電式電動工具に用いられるバッテリパックを電源として利用することができるので、商用１００Ｖの交流電源がない屋外等においても、切断対象物を切断でき、この点で電気器具の利便性を高めることができる。また、コードレスであるので、その持ち運び及び取り扱いが容易である。さらに、他の電動工具の電源として共用できるバッテリパックを電源として利用できることから、主として電源についてはランニングコスト及びメンテナンスコストの低減を図ることができる。
【０００９】
第２の発明は、第１の発明において、切断刃によって切断される切断対象物を保持する保持部材を備えている電気器具である。
【００１０】
第２の発明によれば、切断刃によって切断するときの切断対象物を電気器具の使用者が持っておく必要がない。したがって、切断対象物を切断するときの使用者の手間を省くことができる。
【００１１】
第３の発明は、第１〜第２の何れか一つの発明において、使用者によって把持されるグリップを有し、グリップの一端に前記切断刃が設けられ、グリップの他端にバッテリ取り付け部が設けられる電気器具である。
【００１２】
第３の発明によれば、グリップを有しているため、電気器具を使用するときの使用者の握り感を高めることができる。
【００１３】
第４の発明は、第１〜第２の何れか一つの発明において、切断刃を収容するハウジングと、ハウジングの下方に位置して前記切断刃によって切断された被切断物を収容する収容箱を有し、切断ハウジングまたは収容箱の側面にバッテリ取り付け部が設けられる電気器具である。
【００１４】
第４の発明によれば、切断された被切断物を収容箱に収容できる。したがって、被切断物を回収する手間を省くことができる。
【００１５】
第５の発明は、第１〜第４の何れか一つの発明において、バッテリ取り付け部には、充電可能なバッテリを取り付け可能となっている電気器具である。
【００１６】
第５の発明によれば、例えば、充電式電動工具に用いられるバッテリパックを電源として利用することができるので、商用１００Ｖの交流電源がない屋外等においても、切断対象物を切断でき、この点で電気器具の利便性を高めることができる。
【００１７】
第６の発明は、第１〜第５の何れか一つの発明において、バッテリとして、複数本のセルをバッテリケースに収容したリチウムイオンバッテリを取り付け可能な電気器具である。
【００１８】
第６の発明によれば、駆動源に対して十分な電力を供給することができる。リチウムイオンバッテリを電源とすることにより、継ぎ足し充電等が可能となり、この点でも当該電気器具の使い勝手を高めることができる。
【００１９】
第７の発明は、第１〜第６の何れか一つの発明において、バッテリ取り付け部は、電気器具の表面に沿ってスライドするバッテリを保持するスライド構造を有する電気器具である。
【００２０】
第７の発明によれば、矩形箱型のバッテリをバッテリ取り付け部にスライドさせて取り付けることにより、電源として利用することができる。
【００２１】
第８の発明は、第７の発明において、スライド構造は、バッテリをスライド可能に保持する一対の案内レールを有する電気器具である。
【００２２】
第８の発明によれば、バッテリの取り付け、取り外しの便宜を図りつつ、当該バッテリの強固な取り付け状態を実現できる。
【００２３】
第９の発明は、第１〜第８の何れか一つの発明において、  バッテリは、長尺棒状であり、バッテリ取り付け部は、バッテリを収容する凹部と、凹部の底にバッテリと電気的に接続される接続端部を有する電気器具である。
【００２４】
第９の発明によれば、スティック形のバッテリのバッテリ取り付け部に差し込んで取り付けることにより、電源として利用することができる。
【００２５】
第１０の発明は、第１〜第９の何れか一つの発明において、バッテリとして出力電圧が１０．８Ｖのリチウムイオンバッテリを取り付け可能な電気器具である。
【００２６】
第１０の発明によれば、例えばねじ締め機等の充電式電動工具の電源として用いられる出力電圧１０．８Ｖのリチウムイオンバッテリを各種の電気器具の電源として利用することにより、当該バッテリを有効活用してその汎用性を高めることができるとともに、各種電気器具の使い勝手を高めることができる。
【００２７】
第１１の発明は、第１〜第１０の何れか一つの発明において、駆動源に対する電力供給を制御するためのコントローラを備え、前記バッテリ取り付け部に、前記コントローラと前記バッテリとの間で情報を送受信するための通信端子を少なくとも一つ備えた電気器具である。
【００２８】
第１１の発明によれば、通信端子を経てコントローラとバッテリとの間で情報が送受信されて当該電気器具の動作が制御される。
【００２９】
第１２の発明は、第１１の発明において、バッテリの状態に関する情報に基づいて電力供給を制御する構成とした電気器具である。
【００３０】
第１２の発明によれば、コントローラに送信される主としてバッテリの状態に基づいて熱源に対する電力供給が制御されることにより、当該電気器具及びバッテリの保護が図られる。
【００３１】
第１３の発明は、第１２の発明において、バッテリの温度情報に基づいて電力供給を制御する構成とした電気器具である。
【００３２】
第１３の発明によれば、バッテリの温度情報に基づいて電気器具の動作が制御されることにより、当該バッテリの保護が図られる。
【００３３】
第１４の発明は、第１２の発明において、バッテリの放電許可または禁止情報に基づいて電力供給を制御する構成とした電気器具である。
【００３４】
第１４の発明によれば、例えば残容量不足によりバッテリからコントローラへ放電不可信号が送信されて、熱源への電力供給が停止されることにより、当該バッテリの保護が図られる。
【００３５】
第１５の発明は、第１２の発明において、電気器具の状態に関する情報に基づいて電力供給を制御する構成とした電気器具である。
【００３６】
第１５の発明によれば、電気器具の状態に基づいて電力供給が制御される。
【００３７】
第１６の発明は、第１〜第１５の発明に係る電気器具のバッテリ取り付け部に取り付け可能なバッテリであって、残容量表示部を備えたバッテリである。
【００３８】
第１６の発明によれば、バッテリ自身にその残容量を表示する残容量表示部を備えていることから、電気器具のバッテリ取り付け部から取り外した状態で、当該バッテリの残容量を確認することができる。
【００３９】
第１７の発明は、第１〜第１６の発明において、バッテリまたは電気器具の状態を報知する報知部を備える電気器具である。
【００４０】
第１７の発明によれば、報知部によりバッテリまたは電気器具の状態が報知される。
【００４１】
第１８の発明は、第１７の発明において、報知部は電気器具側に設けられた電気器具である。
【００４２】
第１８の発明によれば、電気器具側に設けられた報知部により、バッテリまたは電気器具の状態が報知される。
【００４３】
第１９の発明は、家庭用電気器具において、電力を供給する電源としてのバッテリを着脱可能に取り付けるためのバッテリ取り付け部を備えた電気器具である。
【００４４】
第１９の発明によれば、バッテリ取り付け部に電力供給用のバッテリを取り付けて家庭用電気器具を利用することができる。
【図面の簡単な説明】
【００４５】
【図１】第１実施形態に係る電気器具であって、パンスライサーの全体斜視図である。
【図２】スライド取り付け形式のバッテリパックのバッテリ取り付け部に対する取り付け、取り外し状態を示す側面図である。
【図３】スライド取り付け形式のバッテリパック単体の斜視図である。
【図４】スライド取り付け形式のバッテリパック単体の正面図である。
【図５】スライド取り付け形式のバッテリパック単体の上面図である。
【図６】スライド取り付け形式の別のバッテリパックのバッテリ取り付け部に対する取り付け、取り外し状態を示す側面図である。
【図７】スライド取り付け形式の別のバッテリパック単体の斜視図である。
【図８】スライド取り付け形式の別のバッテリパック単体の正面図である。
【図９】スライド取り付け形式の別のバッテリパック単体の上面図である。
【図１０】充電式ねじ締め機の全体斜視図である。
【図１１】差し込み取り付け形式のバッテリパックを取り付け可能としたパンスライサーの全体斜視図である。
【図１２】差し込み取り付け形式のバッテリパック単体の斜視図である。
【図１３】第２実施形態に係る電気器具であって、バリカンの全体斜視図である。
【図１４】差し込み取り付け形式のバッテリパックを取り付け可能としたバリカンの全体斜視図である。
【図１５】第３実施形態に係る電気器具であって、毛玉取り器の全体斜視図である。
【図１６】差し込み取り付け形式のバッテリパックを取り付け可能とした毛玉取り器の全体斜視図である。
【図１７】第４実施形態に係る電気器具であって、第１のエチケットカッターの全体斜視図である。
【図１８】ケーブル形式のバッテリパックを取り付け可能とした第１のエチケットカッターの全体斜視図である。
【図１９】第５実施形態に係る電気器具であって、第２のエチケットカッターの全体斜視図である。
【図２０】ケーブル形式のバッテリパックを取り付け可能とした第２のエチケットカッターの全体斜視図である。
【図２１】第６実施形態に係る電気器具であって、ゴミ粉砕機の全体斜視図である。
【図２２】第７実施形態に係る電気器具であって、ハンディシュレッダーの全体斜視図である。
【図２３】第８実施形態に係る電気器具であって、鉛筆削りの全体斜視図である。
【図２４】第９実施形態に係る電気器具であって、野菜スライサーの全体斜視図である。
【図２５】図１４の第４実施形態の電気器具の変形例である。
【図２６】図１５の第５実施形態の電気器具の変形例である。
【図２７】外部接続式の電源アダプタの斜視図である。本図は、スティック形（差し込み式）バッテリを電源とするタイプを示している。
【図２８】外部接続式の電源アダプタの斜視図である。本図は、ボックス形（スライド取り付け式）のバッテリパックを電源とするタイプを示している。
【図２９】電気器具とバッテリパックの制御ブロック図である。
【図３０】電気器具の制御フローチャートである。
【図３１】別形態の電気器具とバッテリパックの制御ブロック図である。
【図３２】別形態の電気器具の制御フローチャートである。
【図３３】別形態のバッテリパックの制御フローチャートを示している。
【図３４】充電器とバッテリパックの制御ブロック図である。
【発明を実施するための形態】
【００４６】
次に、本発明の実施形態を図１〜図３４に基づいて説明する。図１には第１実施形態の電気器具１０としてパンスライサーが示されている。この電気器具１０は、切断対象物であるパン１９を食べ易いように適度の厚みに切断するために用いられる比較的小型の電気器具である。
【００４７】
この電気器具１０は、主として、使用者（図示しない）によって把持されるグリップ１０ａと、このグリップ１０ａの一端１０ｂに設けられた切断刃１０ｄとから構成されている。また、このグリップ１０ａの他端１０ｃには、後述するバッテリパック１を取り付け取り外し可能なバッテリ取り付け部１３が設けられている。また、このグリップ１０ａの内部には、モータから成る駆動源１２が組み付けられている。この駆動源１２と切断刃１０ｄとは機械的に連結されている。
【００４８】
すなわち、この駆動源１２が駆動すると、切断刃１０ｄが動作することとなっている。また、この駆動源１２とバッテリ取り付け部１３とは電気的に接続されている。そして、グリップ１０ａに組み付けられているスイッチ１０ｅを操作（ＯＮ操作）すると、このバッテリ取り付け部１３に取り付けたバッテリパック１から駆動源１２に給電されることとなる。これにより、この駆動源１２の駆動によって切断刃１０ｄが動作するため、パン１９を食べ易いように適度の厚みに切断できる。
【００４９】
ここで、図２〜５を参照して、バッテリパック１を詳述する。図２に示すように、このバッテリパック１は、バッテリ取り付け部１３に対してバッテリパック１自身を下方へスライドさせて取り付けることができ、逆に上方へスライドさせて取り外すことができるように構成されている。このバッテリパック１は、電動ねじ締め機や電動ドリル等の充電式電動工具のバッテリとしても用いられる汎用性の高いスライド取り付け形式のバッテリで、様々な充電式電動工具との間で共用する（使い回す）ことができる。
【００５０】
図３〜図５には、バッテリ取り付け部１３から取り外した状態のバッテリパック１が単体で示されている。バッテリパック１は、６面を有するほぼ直方体形状（ボックス形）のバッテリケース内に複数本のセルを内装したもので、本実施形態では出力電圧１０．８Ｖのリチウムイオンバッテリが用いられている。このボックス形のバッテリパック１は、バッテリ取り付け部１３から取り外して、別途用意した充電器で充電することにより繰り返し使用することができる。複数個のバッテリパック１を予め用意しておくことにより、１つを充電中であっても別のバッテリパック１をバッテリ取り付け部１３に取り付けることにより、作業等の中断を招くことなく電気器具１０の連続使用が可能となる。なお、以下説明する各実施形態では、出力電圧が１０．８Ｖのリチウムイオンバッテリを電源とする構成を例示するが、出力電圧が１８Ｖ（後述する図６〜９参照）、１４．４Ｖ等のリチウムイオンバッテリを用いる構成、あるいはリチウムイオンバッテリに限らず、ニッケル水素バッテリ、ニッカドバッテリを電源として用いる構成とすることもできる。
【００５１】
図３に示すようにバッテリパック１の正面には、左右一対のレール受け部１ａが設けられている。左右レール受け部１ａの内側に正負の電源端子受け部１ｂ，１ｃと、３つの通信端子受け部１ｄが設けられている。電源端子受け部１ｂ，１ｃの上側には、矩形に開口された冷却用の吸気口１ｇが設けられている。吸気口１ｇの上側には、１つのロック爪１ｅが設けられている。このロック爪１ｅは、バッテリケース内に装着したばねにより正面側へ突き出す方向に付勢されている。バッテリパック１の上面には、アンロックボタン１ｆが設けられている。このアンロックボタン１ｆは、ロック爪１ｅと一体に設けられている。このため、アンロックボタン１ｆを指先で背面側へ押し下げ操作すると、ロック爪１ｅをばね付勢力に抗して引き込む方向（アンロック側）に移動させることができる。バッテリパック１の正面下部には、矩形に開口された３つの排気口１ｈが設けられている。例えば充電時に吸気口１ｇを経てバッテリケース内に導入した外気が排気口１ｈから排気されることにより当該バッテリパック１の冷却がなされる。図５に示すようにバッテリパック１の下面には、電力の残容量をＬＥＤ表示するための残容量表示部１ｊが設けられている。残容量スイッチ１ｋを押し操作すると、残容量に応じた個数のＬＥＤが点灯する。
【００５２】
図２に示すようにバッテリ取り付け部１３は、左右一対のレール部１３ａを備えている。左右のレール部１３ａは相互に平行に上下方向に延びている。左右のレール部１３ａ間に，正負の電源端子１３ｂ，１３ｃと、一つの通信端子１３ｄが設けられている。図では見えていないがバッテリ取り付け部１３の上部に、バッテリパック１側のロック爪１ｅが嵌り込む係合凹部が設けられている。図２中白抜き矢印で示すようにバッテリ取り付け部１３に対してバッテリパック１を上方から下方へ向けてスライドさせることにより、当該バッテリ取り付け部１３に対してバッテリパック１が取り付けられる。逆にバッテリパック１の取り付け状態において、使用者が指先でアンロックボタン１ｆをアンロック側に押し下げ操作し、これによりロック爪１ｅを係合凹部から退出させた状態で、上方へスライドさせることにより当該バッテリパック１をバッテリ取り付け部１３から取り外すことができる。
【００５３】
取り外したバッテリパック１は、その正面側（図４において紙面手前側の面）をバッテリ取り付け部１３側に向けた向きで下方へ移動させて左右のレール受け部１ａにレール部１３ａを進入させることにより、バッテリ取り付け部１３に対して取り付けることができる。バッテリパック１を下方へスライドさせてロック爪１ｅが係合凹部内に弾性的に嵌り込むことにより、当該バッテリパック１がバッテリ取り付け部１３に対して取り付けられた状態にロックされる。バッテリパック１がバッテリ取り付け部１３に対して取り付けられると、正負の電源端子受け部１ｂ，１ｃに正負の電源端子１３ｂ，１３ｃが進入して当該バッテリパック１がバッテリ取り付け部１３に対して電気的に接続された状態となる。また、通信端子１３ｄが中央の通信端子受け部１ｄに進入して、電気器具１０とバッテリパック１との間で過放電に伴う自動停止等の制御信号の送受信が可能な状態となる。なお、バッテリパック１の３つの通信端子受け部１ｄのうち左右両側の通信端子受け部１ｄは、当該バッテリパック１を別途用意した充電器に取り付けて充電する場合に利用される。左右両側の通信端子受け部１ｄには、充電器側の通信端子が進入して電気的に接続される。左右両側の通信端子受け部１ｄに充電器側の通信端子が接続されることにより当該バッテリパック１と充電器との間で各種の制御信号が送受信される。
【００５４】
一方、図６〜図９には、バッテリ取り付け部１１３から取り外し状態のバッテリパック１０１が単体で示されている。バッテリパック１０１は、直方体形状のバッテリケース内に複数本のセルを内装したもので、出力電圧１８Ｖのリチウムイオンバッテリとなっている。このバッテリパック１０１は、バッテリ取り付け部１１３から取り外して、別途用意した充電器で充電することにより繰り返し使用することができる。
【００５５】
バッテリパック１０１の正面には、左右一対のレール受け部１０１ａが設けられている。左右レール受け部１０１ａの内側に正負の電源端子受け部１０１ｂ，１０１ｃが設けられている。正負の電源端子受け部１０１ｂ，１０１ｃ間には、充電器との間で各種の制御信号を送受信するための通信端子受け部１０１ｄが配置されている。通信端子受け部１０１ｄの上方には、ロック爪１０１ｅが設けられている。このロック爪１０１ｅは、バッテリケース内に装着したばねにより正面側へ突き出す方向に付勢されている。バッテリパック１０１の上面には、アンロックボタン１０１ｆが設けられている。このアンロックボタン１０１ｆは、ロック爪１０１ｅと一体に設けられている。このため、アンロックボタン１０１ｆを指先で背面側へ押し下げ操作すると、ロック爪１０１ｅをばね付勢力に抗して下方へ引き込む方向（アンロック側）に移動させることができる。
【００５６】
図６に示すようにバッテリ取り付け部１１３は、左右一対のレール部１１３ａを備えている。レール部１１３ａは上下方向に延びている。両レール部１１３ａの内側には正負の接続端子１１３ｂ，１１３ｃが配置されている。バッテリ取り付け部１１３の上部に、バッテリパック１０１側のロック爪１０１ｅが嵌り込む係合凹部１１３ｄが設けられている。図６中白抜き矢印で示すようにバッテリ取り付け部１１３に対してバッテリパック１０１を上方から下方へ向けてスライドさせることにより、当該バッテリ取り付け部１１３に対して一つのバッテリパック１０１が取り付けられる。逆にバッテリパック１０１の取り付け状態において、使用者が指先でアンロックボタン１０１ｆをアンロック側に押し下げ操作し、これによりロック爪１０１ｅを係合凹部１１３ｄから退出させた状態で、上方へスライドさせることにより当該バッテリパック１０１をバッテリ取り付け部１１３から取り外すことができる。
【００５７】
取り外したバッテリパック１０１は、その正面側（図８において紙面手前側の面）をバッテリ取り付け部１１３側に向けた向きで下方へ移動させて左右のレール受け部１０１ａにレール部１１３ａを進入させることにより、バッテリ取り付け部１１３に対して取り付けることができる。バッテリパック１０１を下方へスライドさせてロック爪１０１ｅが係合凹部１１３ｄ内に弾性的に嵌り込むことにより、当該バッテリパック１０１がバッテリ取り付け部１１３に対して取り付けられた状態にロックされる。バッテリパック１０１がバッテリ取り付け部１１３に対して取り付けられると、正負の電源端子受け部１０１ｂ，１０１ｃに正負の接続端子１１３ｂ，１１３ｃが進入して当該バッテリパック１０１がバッテリ取り付け部１１３に対して電気的に接続された状態となる。なお、バッテリパック１０１の通信端子受け部１０１ｄは、バッテリ取り付け部１１３に対しては接続されない。この通信端子受け部１０１ｄは、当該バッテリパック１０１を別途用意した充電器に取り付けて充電する場合に、充電器側に各種の制御信号を出力するために充電器側のコネクタ受け部に接続される。
【００５８】
図１０には、バッテリパック１を電源として取り付けた充電式の電動工具の一例が示されている。図１０に示す電動工具５はインパクト式のねじ締め機で、本体部５ａとグリップ部５ｂと電源部５ｃを備えている。電源部５ｃがバッテリ取り付け部に相当する部位で、バッテリパック１はこの電源部５ｃの下面に沿って取り付けられている。電源部５ｃに対して前側（白抜き矢印取り外し方向）にスライドさせることにより、バッテリパック１を取り外すことができる。逆に、電源部５ｃに対して後ろ側（白抜き矢印取り付け方向）にスライドさせることによりバッテリパック１を取り付けることができる。この電動工具５は、電源部５ｃに取り付けたバッテリパック１からの電力により利用することができる。電源部５ｃから取り外したバッテリパック１をそのまま電気器具１０のバッテリ取り付け部１３に取り付けることにより、当該バッテリパック１を電気器具１０の電源として利用することができる。バッテリパック１は、このように構成されている。
【００５９】
以上のように構成した第１実施形態の電気器具１０（パンスライサー）によれば、充電式電動工具に用いられるバッテリパック１を電源として利用することができるので、商用１００Ｖの交流電源がない屋外等においても、パン１９を食べ易いように適度の厚みに切断でき、この点で電気器具１０の利便性を高めることができる。
【００６０】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【００６１】
以上、電源としてスライド取り付け形式のバッテリパック１を例示したが、バッテリ取り付け部１６に差し込んで取り付けるスティック形式のバッテリパック２を電源として用いる構成としてもよい。図１１に示す電気器具１０（パンスライサー）は、電源として前記スライド取り付け式のバッテリパック１に代えて、差し込み取り付け形式のバッテリパック２を取り付けることができる。図１２に、取り外した状態のバッテリパック２が単独で示されている。このバッテリパック２は、ねじ締め機等の電動工具の電源として用いられるスティック形のリチウムイオンバッテリで、断面三角形の本体部２ａと、この本体部２ａの後部にやや大径に形成された頭部２ｂを備えている。本体部２ａに３本のバッテリセルが内装されている。本体部２ａの前端面に、正負の端子孔２ｃ，２ｄが設けられている。
【００６２】
図１１に示すように電気器具１０のグリップ１０ａの他端１０ｃには、バッテリパック２を差し込んで取り付けるためのバッテリ取り付け部１６が設けられている。バッテリ取り付け部１６は、バッテリパック２の本体部２ａを収容可能な断面形状及び深さの孔形状を有している。バッテリ取り付け部１６の底部には、正負の接続端子（図では見えていない）が設けられている。バッテリパック２の本体部２ａを、バッテリ取り付け部１６に差し込めば、端子孔２ｃ，２ｄに対応する正負の接続端子が挿入されて当該バッテリパック２が本体部２ａの電源回路に電気的に接続される。電源回路に接続されたバッテリパック２の電力が駆動源１２（モータ）に供給されることとなる。これにより、この駆動源１２の駆動によって切断刃１０ｄが動作するため、パン１９を食べ易いように適度の厚みに切断できる。
【００６３】
図１２に示すようにバッテリパック２の頭部２ｂの左右両側部には、係合爪２ｅとこれを離脱側に操作するための押しボタン２ｆが設けられている。この両係合爪２ｅに対応して、バッテリ取り付け部１６の口元内側には、左右一対の係合突部（図では見えていない）が設けられている。この両係合突部に対して係合爪２ｅは、それぞれバッテリパック２の取り外し方向にのみ係合し、取り付け方向については両係合爪２ｅが弾性力に抗して退避する。このため、バッテリパック２をバッテリ取り付け部１６に差し込むと、左右の係合爪２ｅがそれぞれバッテリ取り付け部１６側の係合突部に係合して当該バッテリパック２が取り付け位置にロックされる。この取り付け状態において、左右の押しボタン２ｆを指先で両側から挟むようにして押し操作すると、係合突部に対する係合爪２ｅの係合状態が解除されるため、当該バッテリパック２をバッテリ取り付け部１６から上方へ抜き出すようにして取り外すことができる。
【００６４】
このように駆動源１２に電力を供給するための電源として、スライド取り付け形式のバッテリパック１あるいは差し込み取り付け形式のバッテリパック２を用いることができる他、電源には内蔵式のバッテリパックを用いることもできる。この場合、バッテリパックの充電機能も合わせて内蔵することにより、例えばグリップ１０ａの他端１０ｃに、充電用電源の接続口を設けることができる。この接続口を経て充電用の電力を供給することにより内蔵バッテリを充電する構成とすることができる。
【００６５】
さらに、必要に応じてバッテリ取り付け部１３（１６）を複数設けて、それぞれに取り付けた複数個のバッテリパック１（２）の合計電力を供給可能として、よりハイパワーな電気器具１０とすることができる。
【００６６】
図１３には、第２実施形態の電気器具２０としてバリカンが示されている。この電気器具２０は、切断対象物である髪の毛２９を短く切断するために用いられる比較的小型の電気器具である。
【００６７】
この電気器具２０は、主として、使用者（図示しない）によって把持されるバリカン本体２０ａと、このバリカン本体２０ａの一端２０ｂに設けられた切断刃２０ｄとから構成されている。また、このバリカン本体２０ａの他端２０ｃには、上述したバッテリパック１を取り付け取り外し可能なバッテリ取り付け部２３が設けられている。このバッテリ取り付け部２３は、上述したバッテリ取り付け部１３と同様に構成されている。また、このバリカン本体２０ａの内部には、モータから成る駆動源２２が組み付けられている。この駆動源２２と切断刃２０ｄとは機械的に連結されている。
【００６８】
すなわち、この駆動源２２が駆動すると、切断刃２０ｄが動作することとなっている。また、この駆動源２２とバッテリ取り付け部２３とは電気的に接続されている。そして、バリカン本体２０ａに組み付けられているスイッチ２０ｅを操作（ＯＮ操作）すると、このバッテリ取り付け部２３に取り付けたバッテリパック１から駆動源２２に給電されることとなる。これにより、この駆動源２２の駆動によって切断刃２０ｄが動作するため、髪の毛２９を短く切断できる。
【００６９】
以上のように構成した第２実施形態の電気器具２０（バリカン）によれば、充電式電動工具に用いられるバッテリパック１を電源として利用することができるので、商用１００Ｖの交流電源がない屋外等においても、髪の毛２９を短く切断でき、この点で電気器具２０の利便性を高めることができる。
【００７０】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【００７１】
なお、第２実施形態の電気器具２０についても、第１実施形態と同じく、スライド取り付け形式のバッテリパック１に代えて、差し込み取り付け形式のバッテリパック２を取り付け可能とする構成としてもよい。その場合、図１４に示すようにバリカン本体２０ａの他端２０ｃには、上述したバッテリ取り付け部１６と同様に、バッテリパック２を差し込んで取り付けるためのバッテリ取り付け部２６が設けられている。また、商用１００Ｖの交流電源を利用可能な構成（充交両用）としてもよい。
【００７２】
さらに、必要に応じてバッテリ取り付け部２３（２６）を複数設けて、それぞれに取り付けた複数個のバッテリパック１（２）の合計電力を供給可能として、よりハイパワーな電気器具２０とすることができる。
【００７３】
図１５には、第３実施形態の電気器具３０として毛玉取り器が示されている。この電気器具３０は、切断対象物である洋服の毛玉３９を切断するために用いられる比較的小型の電気器具である。
【００７４】
この電気器具３０は、主として、使用者（図示しない）によって把持される毛玉取り器本体３０ａと、この毛玉取り器本体３０ａの一端３０ｂに設けられた切断刃３０ｄとから構成されている。また、この毛玉取り器本体３０ａのグリップ３０ｃには、上述したバッテリパック１を取り付け取り外し可能なバッテリ取り付け部３３が設けられている。このバッテリ取り付け部３３は、上述したバッテリ取り付け部１３と同様に構成されている。また、この毛玉取り器本体３０ａの内部には、モータから成る駆動源３２が組み付けられている。この駆動源３２と切断刃３０ｄとは機械的に連結されている。
【００７５】
すなわち、この駆動源３２が駆動すると、切断刃３０ｄが動作することとなっている。また、この駆動源３２とバッテリ取り付け部３３とは電気的に接続されている。そして、グリップ３０ｃに組み付けられているスイッチ３０ｅを操作（ＯＮ操作）すると、このバッテリ取り付け部３３に取り付けたバッテリパック１から駆動源３２に給電されることとなる。これにより、この駆動源３２の駆動によって切断刃３０ｄが動作するため、洋服の毛玉３９を切断できる。
【００７６】
以上のように構成した第３実施形態の電気器具３０（毛玉取り器）によれば、充電式電動工具に用いられるバッテリパック１を電源として利用することができるので、商用１００Ｖの交流電源がない屋外等においても、洋服の毛玉３９を切断でき、この点で電気器具３０の利便性を高めることができる。
【００７７】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【００７８】
なお、第３実施形態の電気器具３０についても、第１実施形態と同じく、スライド取り付け形式のバッテリパック１に代えて、差し込み取り付け形式のバッテリパック２を取り付け可能とする構成としてもよい。その場合、図１６に示すようにグリップ３０ｃには、上述したバッテリ取り付け部１６と同様に、バッテリパック２を差し込んで取り付けるためのバッテリ取り付け部３６が設けられている。また、商用１００Ｖの交流電源を利用可能な構成（充交両用）としてもよい。
【００７９】
さらに、必要に応じてバッテリ取り付け部３３（３６）を複数設けて、それぞれに取り付けた複数個のバッテリパック１（２）の合計電力を供給可能として、よりハイパワーな電気器具３０とすることができる。
【００８０】
図１７には、第４実施形態の電気器具４０として第１のエチケットカッターが示されている。この電気器具４０は、切断対象物である産毛４９を短く切断するために用いられる比較的小型の電気器具である。
【００８１】
この電気器具４０は、主として、使用者（図示しない）によって把持される第１のエチケットカッター本体４０ａと、この第１のエチケットカッター本体４０ａの一端４０ｂに設けられた切断刃４０ｄとから構成されている。また、この第１のエチケットカッター本体４０ａの他端４０ｃには、上述したバッテリパック１を取り付け取り外し可能なバッテリ取り付け部４３が設けられている。このバッテリ取り付け部４３は、上述したバッテリ取り付け部１３と同様に構成されている。また、この第１のエチケットカッター本体４０ａの内部には、モータから成る駆動源４２が組み付けられている。この駆動源４２と切断刃４０ｄとは機械的に連結されている。
【００８２】
すなわち、この駆動源４２が駆動すると、切断刃４０ｄが動作することとなっている。また、この駆動源４２とバッテリ取り付け部４３とは電気的に接続されている。そして、第１のエチケットカッター本体４０ａに組み付けられているスイッチ４０ｅを操作（ＯＮ操作）すると、このバッテリ取り付け部４３に取り付けたバッテリパック１から駆動源４２に給電されることとなる。これにより、この駆動源４２の駆動によって切断刃４０ｄが動作するため、産毛４９を短く切断できる。
【００８３】
以上のように構成した第４実施形態の電気器具４０（第１のエチケットカッター）によれば、充電式電動工具に用いられるバッテリパック１を電源として利用することができるので、商用１００Ｖの交流電源がない屋外等においても、産毛４９を短く切断でき、この点で電気器具４０の利便性を高めることができる。
【００８４】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【００８５】
なお、第４実施形態の電気器具４０についても、第１実施形態と同じく、スライド取り付け形式のバッテリパック１に代えて、差し込み取り付け形式のバッテリパック２を取り付け可能とする構成としてもよい。その場合、図１８に示すように第１のエチケットカッター本体４０ａの他端４０ｃには、上述したバッテリ取り付け部１６と同様に、バッテリパック２を差し込んで取り付けるためのバッテリ取り付け部４６が設けられている。また、商用１００Ｖの交流電源を利用可能な構成（充交両用）としてもよい。
【００８６】
さらに、必要に応じてバッテリ取り付け部４３（４６）を複数設けて、それぞれに取り付けた複数個のバッテリパック１（２）の合計電力を供給可能として、よりハイパワーな電気器具４０とすることができる。
【００８７】
図１９には、第５実施形態の電気器具５０として第２のエチケットカッターが示されている。この電気器具５０は、切断対象物である産毛５９を短く切断するために用いられる比較的小型の電気器具である。
【００８８】
この電気器具５０は、主として、使用者（図示しない）によって把持される第２のエチケットカッター本体５０ａと、この第２のエチケットカッター本体５０ａの一端５０ｂに設けられた切断刃５０ｄとから構成されている。また、この第２のエチケットカッター本体５０ａの他端５０ｃには、上述したバッテリパック１を取り付け取り外し可能なバッテリ取り付け部５３が設けられている。このバッテリ取り付け部５３は、上述したバッテリ取り付け部１３と同様に構成されている。また、この第２のエチケットカッター本体５０ａの内部には、モータから成る駆動源５２が組み付けられている。この駆動源５２と切断刃５０ｄとは機械的に連結されている。
【００８９】
すなわち、この駆動源５２が駆動すると、切断刃５０ｄが動作することとなっている。また、この駆動源５２とバッテリ取り付け部５３とは電気的に接続されている。そして、第２のエチケットカッター本体５０ａに組み付けられているスイッチ５０ｅを操作（ＯＮ操作）すると、このバッテリ取り付け部５３に取り付けたバッテリパック１から駆動源５２に給電されることとなる。これにより、この駆動源５２の駆動によって切断刃５０ｄが動作するため、産毛５９を短く切断できる。
【００９０】
以上のように構成した第５実施形態の電気器具５０（第５のエチケットカッター）によれば、充電式電動工具に用いられるバッテリパック１を電源として利用することができるので、商用１００Ｖの交流電源がない屋外等においても、産毛５９を短く切断でき、この点で電気器具５０の利便性を高めることができる。
【００９１】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【００９２】
なお、第５実施形態の電気器具５０についても、第１実施形態と同じく、スライド取り付け形式のバッテリパック１に代えて、差し込み取り付け形式のバッテリパック２を取り付け可能とする構成としてもよい。その場合、図２０に示すように第２のエチケットカッター本体５０ａの他端５０ｃには、上述したバッテリ取り付け部１６と同様に、バッテリパック２を差し込んで取り付けるためのバッテリ取り付け部５６が設けられている。また、商用１００Ｖの交流電源を利用可能な構成（充交両用）としてもよい。
【００９３】
さらに、必要に応じてバッテリ取り付け部５３（５６）を複数設けて、それぞれに取り付けた複数個のバッテリパック１（２）の合計電力を供給可能として、よりハイパワーな電気器具５０とすることができる。
【００９４】
図２１には、第６実施形態の電気器具６０としてゴミ粉砕機が示されている。この電気器具６０は、切断対象物であるゴミ６９を細かく切断するために用いられる比較的小型の電気器具である。
【００９５】
この電気器具６０は、主として、使用者（図示しない）によって台車６１を介して運搬可能なゴミ粉砕機本体６０ａと、ゴミ６９を受け入れ可能に開口６０ｂの内部に設けられた切断刃６０ｄとから構成されている。また、このゴミ粉砕機本体６０ａには、上述したバッテリパック１を取り付け取り外し可能なバッテリ取り付け部６３が設けられている。このバッテリ取り付け部６３は、上述したバッテリ取り付け部１３と同様に構成されている。また、このゴミ粉砕機本体６０ａの内部には、モータから成る駆動源６２が組み付けられている。この駆動源６２と切断刃６０ｄとは機械的に連結されている。
【００９６】
すなわち、この駆動源６２が駆動すると、切断刃６０ｄが動作することとなっている。また、この駆動源６２とバッテリ取り付け部６３とは電気的に接続されている。そして、ゴミ粉砕機本体６０ａに組み付けられているスイッチ６０ｅを操作（ＯＮ操作）すると、このバッテリ取り付け部６３に取り付けたバッテリパック１から駆動源６２に給電されることとなる。これにより、この駆動源６２の駆動によって切断刃６０ｄが動作するため、ゴミ６９を細かく切断できる。
【００９７】
以上のように構成した第６実施形態の電気器具６０（ゴミ粉砕機）によれば、充電式電動工具に用いられるバッテリパック１を電源として利用することができるので、商用１００Ｖの交流電源がない屋外等においても、ゴミ６９を細かく切断でき、この点で電気器具６０の利便性を高めることができる。
【００９８】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【００９９】
なお、第６実施形態の電気器具６０についても、第１実施形態と同じく、スライド取り付け形式のバッテリパック１に代えて、差し込み取り付け形式のバッテリパック２を取り付け可能とする構成としてもよい。その場合、ゴミ粉砕機本体６０ａには、上述したバッテリ取り付け部１６と同様に、バッテリパック２を差し込んで取り付けるためのバッテリ取り付け部（図示しない）が設けられている。また、商用１００Ｖの交流電源を利用可能な構成（充交両用）としてもよい。
【０１００】
さらに、必要に応じてバッテリ取り付け部６３（差し込み取り付け形式のバッテリ取り付け部）を複数設けて、それぞれに取り付けた複数個のバッテリパック１（２）の合計電力を供給可能として、よりハイパワーな電気器具６０とすることができる。
【０１０１】
図２２には、第７実施形態の電気器具７０としてハンディシュレッダーが示されている。この電気器具７０は、切断対象物である書類７９を細かく切断するために用いられる比較的小型の電気器具である。
【０１０２】
この電気器具７０は、主として、収容箱であるハンディシュレッダー本体７０ａと、書類７９を受け入れ可能なスリッド状の開口７０ｂを有するハウジング７０ｃとから構成されている。このように構成されていると、図２２からも明らかなように、ハンディシュレッダー本体７０ａはハウジング７０ｃの下方に位置して後述する切断刃７０ｄによって細かく切断された書類７９を収容可能となっている。このハウジング７０ｃの開口７０ｂの内部には切断刃７０ｄが設けられている。また、このハンディシュレッダー本体７０ａの端部には、上述したバッテリパック１を取り付け取り外し可能なバッテリ取り付け部７３が設けられている。このバッテリ取り付け部７３は、上述したバッテリ取り付け部１３と同様に構成されている。また、このハンディシュレッダー本体７０ａの内部には、モータから成る駆動源７２が組み付けられている。この駆動源７２と切断刃７０ｄとは機械的に連結されている。
【０１０３】
すなわち、この駆動源７２が駆動すると、切断刃７０ｄが動作することとなっている。また、この駆動源７２とバッテリ取り付け部７３とは電気的に接続されている。そして、ハンディシュレッダー本体７０ａに組み付けられているスイッチ７０ｅを操作（ＯＮ操作）すると、このバッテリ取り付け部７３に取り付けたバッテリパック１から駆動源７２に給電されることとなる。これにより、この駆動源７２の駆動によって切断刃７０ｄが動作するため、書類７９を細かく切断できる。
【０１０４】
以上のように構成した第７実施形態の電気器具７０（ハンディシュレッダー）によれば、充電式電動工具に用いられるバッテリパック１を電源として利用することができるので、商用１００Ｖの交流電源がない屋外等においても、書類７９を細かく切断でき、この点で電気器具７０の利便性を高めることができる。
【０１０５】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【０１０６】
なお、第７実施形態の電気器具７０についても、第１実施形態と同じく、スライド取り付け形式のバッテリパック１に代えて、差し込み取り付け形式のバッテリパック２を取り付け可能とする構成としてもよい。その場合、ハンディシュレッダー本体７０ａの端部には、上述したバッテリ取り付け部１６と同様に、バッテリパック２を差し込んで取り付けるためのバッテリ取り付け部（図示しない）が設けられている。また、商用１００Ｖの交流電源を利用可能な構成（充交両用）としてもよい。
【０１０７】
さらに、必要に応じてバッテリ取り付け部７３（差し込み取り付け形式のバッテリ取り付け部）を複数設けて、それぞれに取り付けた複数個のバッテリパック１（２）の合計電力を供給可能として、よりハイパワーな電気器具７０とすることができる。
【０１０８】
図２３には、第８実施形態の電気器具８０としてハンディシュレッダーが示されている。この電気器具８０は、切断対象物である鉛筆８９を削るために用いられる比較的小型の電気器具である。
【０１０９】
この電気器具８０は、主として、収容箱である鉛筆削り本体８０ａと、鉛筆８９の先端を受け入れ可能な挿込口８０ｂを有するハウジング８０ｃとから構成されている。このように構成されていると、図２３からも明らかなように、鉛筆削り本体８０ａはハウジング８０ｃの後方に位置して後述する切断刃８０ｄによって削られた鉛筆８９の屑を収容可能となっている。このハウジング８０ｃが、特許請求の範囲における「保持部材」に相当する。この鉛筆削り本体８０ａの内部には切断刃８０ｄが設けられている。また、この鉛筆削り本体８０ａの端部には、上述したバッテリパック１を取り付け取り外し可能なバッテリ取り付け部８３が設けられている。このバッテリ取り付け部８３は、上述したバッテリ取り付け部１３と同様に構成されている。また、この鉛筆削り本体８０ａの内部には、モータから成る駆動源８２が組み付けられている。この駆動源８２と切断刃８０ｄとは機械的に連結されている。
【０１１０】
すなわち、この駆動源８２が駆動すると、切断刃８０ｄが動作することとなっている。また、この駆動源８２とバッテリ取り付け部８３とは電気的に接続されている。そして、鉛筆削り本体８０ａに組み付けられているスイッチ８０ｅを操作（ＯＮ操作）すると、このバッテリ取り付け部８３に取り付けたバッテリパック１から駆動源８２に給電されることとなる。これにより、この駆動源８２の駆動によって切断刃８０ｄが動作するため、鉛筆８９を削ることができる。
【０１１１】
以上のように構成した第８実施形態の電気器具８０（鉛筆削り）によれば、充電式電動工具に用いられるバッテリパック１を電源として利用することができるので、商用１００Ｖの交流電源がない屋外等においても、鉛筆８９を削ることができ、この点で電気器具８０の利便性を高めることができる。
【０１１２】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【０１１３】
なお、第８実施形態の電気器具８０についても、第１実施形態と同じく、スライド取り付け形式のバッテリパック１に代えて、差し込み取り付け形式のバッテリパック２を取り付け可能とする構成としてもよい。その場合、鉛筆削り本体８０ａの端部には、上述したバッテリ取り付け部１６と同様に、バッテリパック２を差し込んで取り付けるためのバッテリ取り付け部（図示しない）が設けられている。また、商用１００Ｖの交流電源を利用可能な構成（充交両用）としてもよい。
【０１１４】
さらに、必要に応じてバッテリ取り付け部８３（差し込み取り付け形式のバッテリ取り付け部）を複数設けて、それぞれに取り付けた複数個のバッテリパック１（２）の合計電力を供給可能として、よりハイパワーな電気器具８０とすることができる。
【０１１５】
図２４には、第９実施形態の電気器具９０として野菜スライサーが示されている。この電気器具９０は、切断対象物である大根（野菜）９９を削る（切断、この場合は、いわゆる、おろす）ために用いられる比較的小型の電気器具である。
【０１１６】
この電気器具９０は、主として、収容箱である野菜スライサー本体９０ａと、この野菜スライサー本体９０ａに組み付けられる補助体９０ａ１と、この補助体９０ａ１に組み付けられる保持部材９０ｃとから構成されている。この保持部材９０ｃの上部には、大根９９を挿し込んで保持可能な挿込口９０ｂを備えている。このように構成されていると、図２４からも明らかなように、野菜スライサー本体９０ａは保持部材９０ｃの下方に位置して後述する切断刃９０ｄによって削られた大根９９を収容可能となっている。この野菜スライサー本体９０ａの内部には切断刃９０ｄが設けられている。また、この補助体９０ａ１の端部には、上述したバッテリパック１を取り付け取り外し可能なバッテリ取り付け部９３が設けられている。このバッテリ取り付け部９３は、上述したバッテリ取り付け部１３と同様に構成されている。また、この補助体９０ａ１の内部には、モータから成る駆動源９２が組み付けられている。この駆動源９２と切断刃９０ｄとは機械的に連結されている。
【０１１７】
すなわち、この駆動源９２が駆動すると、切断刃９０ｄが動作（図２４における矢印方向にスライド動作）することとなっている。また、この駆動源９２とバッテリ取り付け部９３とは電気的に接続されている。そして、補助体９０ａ１に組み付けられているスイッチ９０ｅを操作（ＯＮ操作）すると、このバッテリ取り付け部９３に取り付けたバッテリパック１から駆動源９２に給電されることとなる。これにより、この駆動源９２の駆動によって切断刃９０ｄが動作するため、大根９９を削ることができる。
【０１１８】
以上のように構成した第９実施形態の電気器具９０（野菜スライサー）によれば、充電式電動工具に用いられるバッテリパック１を電源として利用することができるので、商用１００Ｖの交流電源がない屋外等においても、大根９９を削ることができ、この点で電気器具９０の利便性を高めることができる。
【０１１９】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【０１２０】
なお、第９実施形態の電気器具９０についても、第１実施形態と同じく、スライド取り付け形式のバッテリパック１に代えて、差し込み取り付け形式のバッテリパック２を取り付け可能とする構成としてもよい。その場合、補助体９０ａ１の端部には、上述したバッテリ取り付け部１６と同様に、バッテリパック２を差し込んで取り付けるためのバッテリ取り付け部（図示しない）が設けられている。また、商用１００Ｖの交流電源を利用可能な構成（充交両用）としてもよい。
【０１２１】
さらに、必要に応じてバッテリ取り付け部９３（差し込み取り付け形式のバッテリ取り付け部）を複数設けて、それぞれに取り付けた複数個のバッテリパック１（２）の合計電力を供給可能として、よりハイパワーな電気器具９０とすることができる。
【０１２２】
上述した内容は、あくまでも本発明の一実施の形態に関するものであって、本発明が上記内容に限定されることを意味するものではない。
【０１２３】
第４実施形態の電気器具（第１のエチケットカッター）４０では、バッテリ取り付け部４３は、第１のエチケットカッター本体４０ａの他端４０ｃに設けられている形態を説明した。すなわち、バッテリ取り付け部４３は、第１のエチケットカッター本体４０ａに対して一体を成すように設けられている形態を説明した。しかし、これに限定されるものでなく、バッテリ取り付け部４７は、第１のエチケットカッター本体４０ａに対して電源コード４８を介して別体を成すように設けられている形態でも構わない（図２５参照）。
【０１２４】
また、第５実施形態の電気器具（第２のエチケットカッター）５０でも、バッテリ取り付け部５３は、第２のエチケットカッター本体５０ａの他端５０ｃに設けられている形態を説明した。すなわち、バッテリ取り付け部５３は、第２のエチケットカッター本体５０ａに対して一体を成すように設けられている形態を説明した。しかし、これに限定されるものでなく、バッテリ取り付け部５７は、第２のエチケットカッター本体５０ａに対して電源コード５８を介して別体を成すように設けられている形態でも構わない（図２６参照）。
【０１２５】
以上説明した各実施形態では、バッテリ取り付け部を各機器の本体部に直接設ける構成とする他、電源コードを介して本体部から分離した状態で設ける構成を例示したが、後者の場合には、さらに電源コードを本体部から切り離し可能な外部接続式の電源アダプタを用いる構成としてもよい。係る外部接続式の電源アダプタが図２７及び図２８に示されている。図２７に示す電源アダプタ６は、図１２に示すスティック形のバッテリパック２を電源として利用するもので、比較的小型軽量で大きな電力を必要としない電気器具に適している。この電源アダプタ６は、筒体形状を有し、その内周側にバッテリパック２を差し込んで電気的に接続するアダプタ本体６ａを備えている。アダプタ本体６ａから伸縮自在なカール式の電源コード６ｂが引き出されている。電源コード６ｂの先端には、電気器具の本体側に設けた電源ジャック８に差し込んで接続する接続プラグ６ｃが設けられている。
【０１２６】
図２８に示す電源アダプタ７は、図３〜図５に示すボックス形のバッテリパック１を電源として利用するもので、比較的大きな電力を要する電気器具に適している。電源アダプタ７は、台座形を有し、その下面側にスライド取り付け形式のバッテリパック１を取り付けるアダプタ本体７ａを備えている。アダプタ本体７ａからは上記と同じく伸縮自在なカール式の電源コード７ｂが引き出されている。電源コード７ｂの先端には、電気器具の本体側に設けた電源ジャック８に差し込んで接続する接続プラグ７ｃが設けられている。アダプタ本体７ａの上面には、使用者が腰ベルト等に当該電源アダプタ７を引き掛けておくためのフック７ｄが設けられている。
【０１２７】
上記の外部接続式の電源アダプタ６，７によれば、電気器具本体の小型化、軽量化を図ってその使い勝手を一層高めることができる。また、電源アダプタ６，７をオプション部品とすることにより、電気器具本体の販売価格を下げることができるとともに、その汎用性を高めることができる
【０１２８】
次に、以上例示した各種の電気器具１０，２０，３０，４０，５０，６０，７０，８０，９０とバッテリパック４００との間でなされる各種の制御について説明する。これまでに例示した各種の電気器具１０，２０，３０，４０，５０，６０，７０，８０，９０は、駆動源に対する電力供給を制御するためのコントローラをそれぞれ備えている。以下、各種の電気器具１０，２０，３０，４０，５０，６０，７０，８０，９０（以下、符号３００，３５０，５００を用いる。）について適用可能されるコントローラを総括した基本的な範囲で説明する。バッテリパック４００は、スライド取り付け形式（ボックス形）のバッテリパック１であり、スティック形のバッテリパック２を用いる場合であっても制御内容は実質的に同じである。
【０１２９】
図２９に示すように、バッテリパック４００には、正負の電源端子受け部４０１，４０２と３つの通信端子受け部４０３，４０４，４０５が設けられている。また、バッテリパック１の下面には、電力の残容量をＬＥＤ表示するための残容量表示部４０６が設けられている。バッテリパック４００には、残容量検出回路４０７と３本のバッテリセルＶ１，Ｖ２，Ｖ３が内装されている。３本のバッテリセルＶ１，Ｖ２，Ｖ３で１０．８Ｖの出力電圧が確保される。バッテリパック４００には、バッテリセルＶ１の温度を検出するサーミスタ４０８が内装されている。
【０１３０】
なお、サーミスタ４０８は抵抗温度特性が負特性のＮＴＣサーミスタが一般的に用いられるが、正特性のＰＴＣサーミスタを用いてもよい。また、本実施形態ではサーミスタ４０８はバッテリの温度を適切に検出するため、バッテリセルＶ１の近傍に配置した構成が例示されているが、これに代えてバッテリセルＶ２，Ｖ３の近傍に配置する構成としてもよい。Ｖ１，Ｖ２，Ｖ３に大きな温度差がある場合は、最も温度上昇しやすいバッテリセルにサーミスタを配置することが望ましい。
【０１３１】
バッテリパック４００は、電気器具のバッテリ取り付け部から取り外した状態であっても、残容量表示部４０６で残容量を確認することができる。残容量表示部４０６は、ＬＥＤ１〜ＬＥＤ４で４灯表示される。残容量検出回路４０７は、使用者が残容量スイッチ（図５に示す残容量スイッチ１ｋ）を押し操作すると、残容量に応じてＬＥＤ１〜ＬＥＤ４を点灯させる。残容量検出回路４０７では、バッテリ電圧に応じて残容量が検出され、例えば２５パーセント毎に、１灯、２灯、３灯、４灯と点灯数を切り替える制御がなされる。
【０１３２】
バッテリパック４００の正負の電源端子受け部４０１，４０２と、３つの通信端子受け部４０３，４０４，４０５のうちバッテリセル温度検出用端子受け部４０５が電気器具のバッテリ取り付け部側に電気的に接続される。バッテリセル温度検出用端子受け部４０５が、図４における中央の通信端子受け部１ｄに相当する。３つの通信端子受け部４０３，４０４，４０５のうち、バッテリセル電圧検出用端子受け部４０３，４０４は充電器用端子受け部であり、充電器との間でのみ接続される。電気器具３００には、電気エネルギーを電気器具の熱源に変換する熱変換部３０１と、電源回路３０２と、制御マイコン３０３と、バッテリ状態検出部３０４と、通電制御スイッチ（ＦＥＴ）３０５と、スイッチの駆動回路３０６と、メインスイッチ３１０と、強弱スイッチ３１１と、電流検出回路３１５が搭載されている。
【０１３３】
電源回路３０２では、バッテリ電圧が入力されると、そのバッテリ電圧を所定電圧値の制御電圧Ｖｃｃに降圧して出力する。電源回路３０２で生成される制御電圧Ｖｃｃは、制御マイコン３０３や駆動回路３０６など各部の動作用電源として用いられる。
【０１３４】
制御マイコン３０３は、ＣＰＵ、ＲＯＭ、ＲＡＭ、Ｉ／Ｏなどを備えたマイクロコンピュータである。
【０１３５】
バッテリ状態検出部３０４では、バッテリパック４００の電源端子受け部４０１及び電気機器の正極端子３１２から入力されるバッテリ電圧をバッテリ電圧検出回路３１６が検出し、制御マイコン３０３へ入力される。相互に接続された通信端子受け部４０５と通信端子３１７を介して温度検出回路３１４がサーミスタ４０８の抵抗値を検出することで、制御マイコン３０３にサーミスタ４０８の抵抗値検出値が入力される。なお、制御マイコンのＲＯＭには、予めサーミスタ４０８の特性が格納されており、制御マイコンは入力されたサーミスタ４０８の抵抗値とＲＯＭに格納された特性データから、バッテリセルの温度を検出することができる。
【０１３６】
電流検出回路３１５では、電気器具が動作している際に流れる通電電流により、例えば電流検出用抵抗の両端に発生する電位差から、通電電流値を検出することができる。
【０１３７】
通電制御スイッチ３０５は本実施例ではＮチャネルＭＯＳＦＥＴを用いており、駆動回路３０６がオンオフのデューティー比を制御することで、熱変換部に供給する電力を制御することができる。
【０１３８】
メインスイッチ３１０はスイッチがオン状態であるか否かを制御マイコン３０３へ入力されるように構成されており、強弱スイッチ３１１は例えば強モードで動作させたい場合にはスイッチがオン状態であることを制御マイコン３０３へ入力させ、弱モードで動作させたい場合はオフ状態であることを制御マイコン３０３へ入力させる。なお、本実施形態ではメインスイッチ３１０と強弱スイッチ３１１を別体としているが、例えば、一つのスイッチを用いて、スイッチをオンさせた回数に応じて強、弱、停止を切り替えるように構成してもよい。
【０１３９】
図３０には、制御マイコン３０３でなされる動作制御であって、主としてバッテリパック４００の放電保護を図るためのフローチャートが示されている。電気器具３００のバッテリ取り付け部にバッテリパック４００が取り付けられると、電気器具３００に電源供給されて、制御マイコン３０３が作動する。その後使用者がメインスイッチ３１０をオン操作した信号が制御マイコン３０３へ入力されると（ステップ０１、以下「ＳＴ０１」と略記する。）、先ずＳＴ０２で、制御マイコン３０３はバッテリ状態検出部３０４からバッテリ状態を取得する。バッテリ状態とは上記したようにバッテリ電圧とバッテリセル温度のことである。取得されたバッテリ状態に基づいてＳＴ０３で起動許可の条件が判定される。この場合、バッテリパック４００の電圧が８Ｖ以上で、温度が６０℃以下の場合に起動許可条件を満たしていると判定される。起動許可条件を満たしていないと判定された場合には、ＳＴ０５でフローが終了されて、メインスイッチ３１０がオン状態となっていても電気器具３００は動作を開始しない。
【０１４０】
ＳＴ０３で起動条件を満たしていると判定されると、ＳＴ０４で強モードであるか否かの確認がなされる。強弱スイッチ３１１の切り替え状態に応じて駆動回路３０６へオン、オフのデューティー比(duty)を変化させて、通電制御スイッチ３０５により熱変換部３０１へ供給される電力が制御される。ＳＴ０４で強モードが確認されると、ＳＴ０６でduty１００パーセントの電力が熱変換部３０１に供給される。ＳＴ０４で強モードが確認されず、弱モードと判定されると、ＳＴ０７でduty５０パーセントの電力が熱変換部３０１に供給される。
【０１４１】
電力供給中（電気器具の使用中）、ＳＴ０８でバッテリ状態が取得される。ＳＴ０２での処理と同様にバッテリ状態検出部３０４にて、バッテリ電圧とバッテリセル温度が検出される。制御マイコン３０３は、バッテリ状態検出部３０４から、検出したバッテリ電圧とバッテリセル温度を取得する。さらに、電力供給中は通電電流が流れているため、電流検出回路３１５にて、通電電流値も検出される。制御マイコン３０３は、電流検出回路３１５から、検出した通電電流値を取得する。
【０１４２】
ＳＴ０８で取得したバッテリ状態に基づいて、ＳＴ０９で電気器具の停止条件を満たしているか否かの判定がなされる。停止条件は、例えばバッテリパック４００の電圧が７．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ１１で通電制御スイッチ３０５がオフされ、メインスイッチ３１０がオン状態であっても電気器具３００が停止される。
【０１４３】
この種のバッテリパック４００は、大電流を流す電動工具あるいは電気器具に使用されるため、バッテリパック４００は高温状態になりやすい。そのため、バッテリパック４００が高温状態となったら放電を停止して寿命が短くなることを防ぐ必要がある。そこで、バッテリパック４００内のサーミスタ４０８の抵抗値の情報を電気器具３００の制御マイコン３０３がＴ端子３１７を介して読み取り、バッテリ温度が規定値（例えば８０℃）を超えたら通電制御スイッチ３０５をオフさせて電力供給を遮断する。
【０１４４】
以上の高温保護に加えて、過放電保護がなされる。過放電を防止するために、バッテリパック４００の電圧が規定値を下回ったことを検出したら放電停止するように、バッテリ電圧検出回路３１６で計測する。１０．８Ｖバッテリの場合、保護したいセル電圧２．５Ｖ×３本として、７．５Ｖを下回ったら電気器具を停止させる。ただし、電気器具は突入電流等で瞬間的に大電流が流れる場合があり、バッテリパックの残容量が空でなくても一瞬７．５Ｖを下回ってしまうことがあるため、検出時間には例えば１秒程度の幅を持たせることが望ましい。
【０１４５】
バッテリパック４００の急激な温度上昇を防ぐために、温度だけでなく一定値以上の過電流を検出したら停止するように、電流検出回路３１５で電流値が検出される。なお、起動時などの突入電流で停止しないように、検出時間には幅を持たせることが望ましい。また、バッテリパック４００だけでなく、電気器具自体も過電流が流れ続けると故障の原因になるため、電気器具側に流すことのできる電流値でバッテリパック４００の過電流保護を設定してもよい。
【０１４６】
上記各保護機能が動作して電気器具が停止したら、メインスイッチ３１０がオン状態を維持している間は、電気器具が動作しないようにラッチをかけておくと、使用者が意図しないときに電気器具が動作を再開してしまうことを防止することができる。また、動作してもすぐ停止しないように、起動条件は停止条件に対してヒステリシスを持たせておくとよい。例えば、７．５Ｖで停止させ、８．０Ｖで動作開始させる制御、あるいは８０℃で停止させて６０℃で動作開始させる制御を行うことが望ましい。
【０１４７】
また、バッテリセルの温度だけでなく、電気器具内の温度を検出して一定値を超えたら停止するようにしてもよい。例えば、熱変換部３０１の温度を検出できるように、熱変換部温度検出回路３０８のサーミスタを熱変換部３０１の近傍に配置する。熱変換部温度検出回路３０８により熱変換部３０１の温度が制御マイコン３０３入力され、熱変換部３０１の温度が異常状態となったら、制御マイコン３０３は、電気器具の停止条件を満たしていると判断し、電気器具を停止させるようにしてもよい。その際に、制御マイコン３０３は、電気機器に異常があることを報知させる構成としてもよい。
【０１４８】
バッテリ状態検出部３０４で検出したバッテリパック電圧、バッテリセル温度、及び電流検出回路３１５で検出した電流値のいずれかが、電気器具の起動許可条件を満たさない、または器具の停止条件を満たしていたら、ＬＥＤ５を点灯させて、バッテリパック４００が放電不可状態であることを報知してもよい。
【０１４９】
また、電気器具の熱変換部の温度が異常状態であると判定されたら、ＬＥＤ６を点灯させて、電気器具が放電不可状態であることを報知してもよい。さらに、ＬＥＤ５とＬＥＤ６を１つのＬＥＤで構成してもよい。例えば、ＬＥＤ５の電気器具側の異常と、バッテリ放電不可状態の点滅パターンや、点灯色を変更して報知してもよい。このような構成とすることで、バッテリパック４００か電気器具のいずれかが使用不能であることを使用者に報知する構成とすることができる。
【０１５０】
本実施例では、報知部ＬＥＤ５、６が、機器側に設けられる例を開示したが、バッテリに設けられていてもよいし、アダプタに設けられてもよい。
【０１５１】
電気器具３００内の配線が外れてショートするなどの異常が発生して過大な電流が流れてしまうと、バッテリパック４００や電気器具が故障するおそれがあるため、バッテリパック４００及び電気器具を保護するために、バッテリパック４００の内部若しくは電気器具の内部にヒューズ３２０を搭載する構成としてもよい。ヒューズ３２０は図２９に示すように電気器具３００側に搭載すると、ヒューズ３２０が切れてもバッテリパック４００は使用可能となるため、電気器具３００側にヒューズ３２０を搭載することが望ましい。
【０１５２】
図３１には、図２９とは異なる形態のバッテリパック４５０と電気器具３５０の構成が示されている。この構成では、電源回路４６１や制御マイコン４５４がバッテリパック４５０内にも構成されている。さらに、電圧監視回路４６０やバッテリセルの温度検出回路４５６、電流検出回路４５７もバッテリパック４５０内に構成されている。
【０１５３】
電源回路４６１は、制御マイコン４５４など、バッテリ内の各部の動作用電源として用いられる。制御マイコン４５４は、ＣＰＵ、ＲＯＭ、ＲＡＭ、Ｉ／Ｏなどを備えたマイクロコンピュータである。電圧監視回路４６０は、Ｖ１，Ｖ２，Ｖ３のセル毎の電圧を検出し、制御マイコンへ入力する。温度検出回路４５６は、バッテリセルＶ１の近傍に備えられたサーミスタの抵抗値からバッテリセル温度を検出し、制御マイコン４５４へ入力する。電流検出回路４５７は、電気器具が動作している際に流れる通電電流を検出して、制御マイコン４５４へ入力する。残容量スイッチ４５５がオンされると、制御マイコン４５４へ信号が入力され、制御マイコン４５４は、セル電圧に応じたバッテリ残容量を算出し、残容量表示回路（ＬＥＤ等）へ表示させる。
【０１５４】
バッテリパック４５０には、正負の電源端子受け部４５１，４５２と、通信端子受け部４５３，４５９が設けられており、通信端子受け部４５３，４５９は電気器具３５０の通信端子３１７，３１８と接続されるように構成されている。バッテリ内の制御マイコン４５４は、通信端子受け部４５３と通信端子３１７（以下接続部Ｃ）を介して、電気器具３５０の制御マイコン３０３からの信号が受信可能な構成となっており、通信端子受け部４５９と通信端子３１８（以下接続部Ｄ）を介して、電気器具３５０の制御マイコン３０３へ信号が送信可能な構成となっている。
【０１５５】
電気器具３５０には、前記電気器具３００と同様、正負の電源端子３１２，３１３、通信端子３１７，３１８、制御マイコン３０３、電源回路３０２、通電制御スイッチ（ＦＥＴ）３０５、駆動回路３０６、メインスイッチ３１０、強弱スイッチ３１１が設けられている。
【０１５６】
図３２には、制御マイコン３０３でなされる電気器具３５０側の動作制御のフローチャートが示され、図３３には、制御マイコン４５４でなされるバッテリパック４５０側の動作制御のフローチャートが示され、これらの動作制御により主としてバッテリパック４５０の放電保護が図られる。使用者がメインスイッチ３１０をオン操作した信号が制御マイコン４５４へ入力されると（ＳＴ２１）、まず制御マイコン３０３は接続部ＣへＨｉレベルの信号を出力する（ＳＴ２２）。
【０１５７】
制御マイコン４５４は、接続部ＣからＨｉレベルの信号が入力されると動作制御を開始し（ＳＴ４１）、ＳＴ４２にてバッテリ状態を取得する。制御マイコン４５４は電圧監視回路４６０からバッテリセルＶ１，Ｖ２，Ｖ３の電圧を個別に検出し、温度検出回路４５６からバッテリセルの温度を検出する。ＳＴ４３にて、制御マイコン４５４はバッテリセルＶ１，Ｖ２，Ｖ３の各電圧、及び、バッテリセル温度が機器の起動許可条件を満たしているか否かを判断する。なお、図３１の構成ではバッテリセルの電圧を個別に検出することが可能であるため、起動条件はＶ１〜Ｖ３の中で最も低い電圧のセルが２．７Ｖ以上あるか否かで判定する。バッテリセル温度の起動許可条件については、図２９の構成と同様に６０℃以上であるか否かで判定する。
【０１５８】
制御マイコン４５４はバッテリパック４５０が起動許可条件を満たしている場合、つまり機器を起動してよいと判定したら、接続部Ｄの電位がＬｏｗレベルとなるように出力する（ＳＴ４５）。なお、起動許可条件を満たしていない場合は、動作を終了する（ＳＴ４４）。
【０１５９】
制御マイコン３０３は、ＳＴ２２が終了したらＳＴ２３に移行して、例えば１０ｍｓｅｃ待機する。この時間は、制御マイコン４５４がＳＴ４１からＳＴ４５までの処理が終了するまでの時間である。そしてＳＴ２４へ移行して接続部ＤからＬｏｗレベルの信号が入力されているか否かを判定する。ここで、接続部ＤからＬｏｗレベルの信号が入力されていない場合、バッテリパック４５０は起動条件を満たしていないと判断し、ＳＴ２５で接続部Ｃへの信号出力を停止し、ＳＴ２６で動作を終了する。接続部ＤからＬｏｗレベルの信号が入力されている場合、バッテリパック４５０は起動条件を満たしていると判断し、それぞれに対応したデューティー比で電気器具を駆動させる（ＳＴ２８、ＳＴ２９）。
【０１６０】
制御マイコン４５４は、ＳＴ４６へ移行し、バッテリ状態を取得する。ここでは、電圧監視回路４６０と温度検出回路４５６から、バッテリセルの電圧と温度を取得するとともに、電流検出回路４５７から電気器具に流れる通電電流を取得する。
【０１６１】
ＳＴ４７にて機器の停止条件を満たしているかを判定する。停止条件は、例えばバッテリセルＶ１，Ｖ２，Ｖ３のいずれかの電圧が２．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ４８で接続部Ｄへの出力を停止して、動作を終了する（ＳＴ４９）。これらの条件が検知されない場合は、ＳＴ５０へ移行する。
【０１６２】
ＳＴ５０では接続部Ｃからの信号が入力されているか否かを判定し、信号が入力されている場合は、電気器具のメインスイッチ３１０がＯＮされたままであると判定し、ＳＴ４６へ戻る。接続部Ｃからの信号が入力されていない場合は、電気器具のメインスイッチ３１０がオフされたと判断し、動作を終了するためにＳＴ４８へ移行する。
【０１６３】
制御マイコン３０３は、ＳＴ２８、２９へ機器の駆動を開始したら、ＳＴ３０で接続部ＤからのＬｏｗレベル信号が入力されているか否かを判定する。信号が入力されている場合、バッテリは機器の停止条件を満たしていないと判断し、ＳＴ３２へ移行する。メインスイッチ３１０がオフされたか否かを判定し、メインスイッチ３１０がオフされていない場合、ＳＴ２７へ戻り、同様の動作を繰り返すこととなる。
【０１６４】
ＳＴ３０にて接続部Ｄからの信号が入力されていない場合、またはＳＴ３１でメインスイッチ３１０がオフされた場合、ＳＴ３２へ移行して、接続部ＣへのＨｉレベル信号の出力を停止し、ＳＴ３３で動作を終了させる。
【０１６５】
このように、図３１のような構成において、接続部Ｃでメインスイッチ３１０のオン状態、接続部Ｄでバッテリが放電してもよいかどうか（放電許可情報）を通信することで、図２９と同様にバッテリの放電保護を行うことができる。バッテリセルＶ１，Ｖ２，Ｖ３の電圧及び温度管理、電流管理がバッテリパック４５０側でなされることから、係る機能を有しない電動器具に用いる場合においても当該バッテリパック４５０の保護を図ることができる。バッテリセルＶ１，Ｖ２，Ｖ３の電圧が個別に監視されることから、高精度の電圧監視制御がなされるとともに、電圧が最も低いバッテリセルＶ１，Ｖ２，Ｖ３のいずれかに合わせて制御がなされることにより、当該バッテリパック４５０の長寿命化を図ることができる。バッテリ側に搭載されている制御マイコン４５４でバッテリ放電保護を行うため、セルに合わせた設定値とすることができる。例えば性能のよいバッテリセルや安価なセルを用いた場合でも、セル性能に合わせた設定値にすることができるため、長寿命化を図ることができる。
【０１６６】
なお、この実施形態では、接続部Ｃ、ＤをＨｉレベルやＬｏｗレベルとすることで、制御マイコン３０３と４５４が通信を行っているが、これに限らず別の通信方式を行っても良い。例えば制御マイコン３０３と４５４がデジタル通信を行うことで、バッテリセル電圧、温度、通電電流値等をデジタルデータで送受信する構成としてもよい。
【０１６７】
また、接続部Ｃでメインスイッチの状態を送受信する構成としているが、接続部Ｃは省略した構成としてもよい。この場合、制御マイコン４５４は、バッテリパック４５０が起動可能な状態であれば、常に接続部ＤからＬｏｗレベルの信号を出力する構成とすればよい。接続部Ｄは放電許可状態の場合に信号を送信する構成としているが、放電禁止状態の場合に信号を送信してもよい。
【０１６８】
制御マイコン３０３は、バッテリパック４５０が起動許可条件を満たしていない、または機器停止条件を満たしていると判定したら、ＬＥＤ５を点灯させて使用者にバッテリが放電不可状態であることを報知してもよい。また、図示はしないが、図２９の構成と同様に熱変換部の異常温度を検出し、電気器具が放電不可状態であることを検出したら、ＬＥＤ５を点滅させるかＬＥＤ６を点灯させるなどしてもよい。
【０１６９】
制御マイコン４５４は、残容量スイッチ４５５を押されたときに、バッテリパック４５０が起動許可条件を満たしていない、または機器停止条件を満たしていると判定したら、残容量表示回路４５８を通常の残容量表示パターンと異なる表示をしてもよい。例えばＬＥＤを点滅表示させることで、バッテリパック４５０が使用不能であることを報知することができる。
【０１７０】
通電制御スイッチ３０５と駆動回路３０６は、電気器具３５０側に搭載する構成のほか、バッテリパック４５０側に搭載する構成としてもよい。その場合、制御マイコン４５４が、駆動回路３０６を制御する構成とすればよい。
【０１７１】
Ｖ３電圧検出回路５１０が接続され、通信端子５０７にＶ２電圧検出回路５１１が接続され、通信端子５０６にＶ１電圧検出回路５１２が接続されている。また、通信端子５０８に温度検出回路５１３が接続されている。
【０１７２】
Ｖ１〜Ｖ３電圧検出回路５１２，５１１，５１０により検出される各セルの電圧情報、温度検出回路５１３で検出されるセルの温度情報が制御回路５１５に入力される。制御回路５１５では、検出したバッテリ状態に応じて、ＳＷ電源回路５０３を制御することにより充電電流や充電電圧が適切に制御される。
【０１７３】
電気器具や電動工具に用いられるバッテリは、大きな電力を取り出せるように工夫されているため、充電時の電流値も大きくすることができる特徴がある。そのため、１時間や３０分程度の短時間で急速充電することが可能となる。このことから、電気器具や電動工具を動作させている間に予備バッテリを充電しておくことで、当該電気器具や電動工具を充電のための中断を生ずることなく長時間連続して動作させることができる。
【０１７４】
図３４には、前記バッテリパック４００を充電器５００にセットして充電する場合の制御状態が示されている。図３４においてバッテリパック４００の残容量スイッチは省略されている。充電器５００では、商用１００Ｖ等のＡＣ電源５０１が入力整流回路５０２により直流に変換され、この直流電流がＳＷ電源回路５０３により所定の電流値や電圧値に変換される。充電器５００には、正負電源用の接続端子５０４，５０５、通信端子５０６，５０７，５０８が設けられている。バッテリパック４００が取り付けられた状態で、電源用の接続端子５０４，５０５がバッテリパック４００の電源端子受け部４０１，４０２に接続される。また、通信端子５０６，５０７，５０８がそれぞれバッテリパック４００の通信端子受け部４０３，４０４，４０５に接続される。正側の接続端子５０４に
【符号の説明】
【０１７５】
１…バッテリパック（スライド取り付け形式）
１ａ…レール受け部、１ｂ，１ｃ…正負の電源端子受け部、１ｄ…通信端子受け部
１ｅ…ロック爪、１ｆ…アンロックボタン、１ｇ…吸気口、１ｈ…排気口
１ｊ…残容量表示部、１ｋ…残容量スイッチ
２…バッテリパック（差し込み取り付け形式）
２ａ…本体部、２ｂ…頭部、２ｃ，２ｄ…正負の端子孔、２ｅ…係合爪
２ｆ…押しボタン
５…電動工具、５ａ…本体部、５ｂ…グリップ部、５ｃ…電源部
６…電源アダプタ（差し込み式）
６ａ…アダプタ本体、６ｂ…電源コード、６ｃ…接続プラグ
７…電源アダプタ（スライド式）
７ａ…アダプタ本体、７ｂ…電源コード、７ｃ…接続プラグ，７ｄ…フック
８…電源ジャック
１０…第１実施形態の電気器具（パンスライサー）
１０ａ…グリップ
１０ｂ…一端
１０ｃ…他端
１０ｄ…切断刃
１０ｅ…スイッチ
１２…駆動源（モータ）
１３…バッテリ取り付け部（スライド取り付け形式）
１３ａ…レール部
１３ｂ…正の電源端子
１３ｃ…負の電源端子
１３ｄ…通信端子
１５…保温対象物
１６…バッテリ取り付け部（差し込み取り付け形式）
１９…切断対象物（パン）
２０…第２実施形態の電気器具（バリカン）
２０ａ…バリカン本体
２０ｂ…一端
２０ｃ…他端
２０ｄ…切断刃
２０ｅ…スイッチ
２２…駆動源（モータ）
２３…バッテリ取り付け部（スライド取り付け形式）
２６…バッテリ取り付け部（差し込み取り付け形式）
２９…切断対象物（髪の毛）
３０…第３実施形態の電気器具（毛玉取り器）
３０ａ…毛玉取り器本体
３０ｂ…一端
３０ｃ…グリップ
３０ｄ…切断刃
３０ｅ…スイッチ
３２…駆動源（モータ）
３３…バッテリ取り付け部（スライド取り付け形式）
３６…バッテリ取り付け部（差し込み取り付け形式）
３９…切断対象物（毛玉）
４０…第４実施形態の電気器具（第１のエチケットカッター）
４０ａ…第１のエチケットカッター本体
４０ｂ…一端
４０ｃ…他端
４０ｄ…切断刃
４０ｅ…スイッチ
４２…駆動源（モータ）
４３…バッテリ取り付け部（スライド取り付け形式）
４６…バッテリ取り付け部（差し込み取り付け形式）
４７…バッテリ取り付け部（分離式）
４８…電源コード
４９…切断対象物（産毛）
５０…第５実施形態の電気器具（第２のエチケットカッター）
５０ａ…第２のエチケットカッター本体
５０ｂ…一端
５０ｃ…他端
５０ｄ…切断刃
５０ｅ…スイッチ
５２…駆動源（モータ）
５６…バッテリ取り付け部（差し込み取り付け形式）
５７…バッテリ取り付け部（分離式）
５８…電源コード
５９…切断対象物（産毛）
６０…第６実施形態の電気器具（ゴミ粉砕機）
６０ａ…ゴミ粉砕機本体
６０ｂ…開口
６０ｄ…切断刃
６０ｅ…スイッチ
６１…台車
６２…駆動源（モータ）
６３…バッテリ取り付け部（スライド取り付け形式）
６９…切断対象物（ゴミ）
７０…第７実施形態の電気器具（ハンディシュレッダー）
７０ａ…ハンディシュレッダー本体（収容箱）
７０ｂ…開口
７０ｃ…ハウジング
７０ｄ…切断刃
７０ｅ…スイッチ
７２…駆動源（モータ）
７３…バッテリ取り付け部（スライド取り付け形式）
７９…切断対象物（書類）
８０…第８実施形態の電気器具（鉛筆削り）
８０ａ…鉛筆削り本体（収容箱）
８０ｂ…挿込口
８０ｃ…ハウジング
８０ｄ…切断刃
８０ｅ…スイッチ
８２…駆動源（モータ）
８３…バッテリ取り付け部（スライド取り付け形式）
８９…切断対象物（鉛筆）
９０…第９実施形態の電気器具（野菜スライサー）
９０ａ…野菜スライサー本体（収容箱）
９０ａ１…補助体
９０ｂ…挿込口
９０ｃ…保持部材
９０ｄ…切断刃
９０ｅ…スイッチ
９２…駆動源（モータ）
９３…バッテリ取り付け部（スライド取り付け形式）
９９…切断対象物（大根）
１０１…バッテリパック（スライド取り付け形式）
１０１ａ…レール受け部、１０１ｂ，１０１ｃ…正負の電源端子受け部、１０１ｄ…通信端子受け部、１０１ｅ…ロック爪、１０１ｆ…アンロックボタン
３００…電気器具
３５０…コントローラ
４００，４５０…バッテリパック
５００…充電器
【図１】
2018065201.tif 000003
【図２】
2018065201.tif 000004
【図３】
2018065201.tif 000005
【図４】
2018065201.tif 000006
【図５】
2018065201.tif 000007
【図６】
2018065201.tif 000008
【図７】
2018065201.tif 000009
【図８】
2018065201.tif 000010
【図９】
2018065201.tif 000011
【図１０】
2018065201.tif 000012
【図１１】
2018065201.tif 000013
【図１２】
2018065201.tif 000014
【図１３】
2018065201.tif 000015
【図１４】
2018065201.tif 000016
【図１５】
2018065201.tif 000017
【図１６】
2018065201.tif 000018
【図１７】
2018065201.tif 000019
【図１８】
2018065201.tif 000020
【図１９】
2018065201.tif 000021
【図２０】
2018065201.tif 000022
【図２１】
2018065201.tif 000023
【図２２】
2018065201.tif 000024
【図２３】
2018065201.tif 000025
【図２４】
2018065201.tif 000026
【図２５】
2018065201.tif 000027
【図２６】
2018065201.tif 000028
【図２７】
2018065201.tif 000029
【図２８】
2018065201.tif 000030
【図２９】
2018065201.tif 000031
【図３０】
2018065201.tif 000032
【図３１】
2018065201.tif 000033
【図３２】
2018065201.tif 000034
【図３３】
2018065201.tif 000035
【図３４】
2018065201.tif 000036